(57)【要約】【課題】焦点距離の変更などの撮影条件を変更することを可能にするとともに、現在どのような撮影条件が設定されているかを容易に認識することができるカメラ機能付き携帯電話装置を提供する。【解決手段】折り畳み式の携帯電話装置１０において、第一の筐体１１の表面にはカメラ機構のレンズが配置され、第二の筐体１２には、レンズに対向する位置にそのレンズの焦点距離を変更し、そのレンズを接写用のレンズに変更する拡張レンズ３０が配置されている。第一及び第二の筐体を相互に折り畳んだときに、第二の表示手段４１には、カメラの認識領域を示す枠が表示される。【選択図】    図１
2004207928.tif 000002
【特許請求の範囲】
【請求項１】
第一の筐体と、前記第一の筐体に対して回転可能に前記第一の筐体に結合された第二の筐体とを備え、
前記第一及び第二の筐体を相互に折り畳んだときに内側になる前記第一の筐体の第一表面に第一の表示手段が、前記第一及び第二の筐体を相互に折り畳んだときに外側になる前記第一の筐体の第二表面に第二の表示手段がそれぞれ形成されており、かつ、カメラ機構を内蔵するとともに、文字認識機能を有する携帯電話装置において、
前記第一の筐体の前記第一表面には前記カメラ機構のレンズが配置されており、
前記第一及び第二の筐体を相互に折り畳んだときに内側になる前記第二の筐体の表面には、前記第一及び第二の筐体を相互に折り畳んだときに前記レンズに対向する位置に前記レンズの光学特性を変更する補助部材が配置されており、
前記第一及び第二の筐体を相互に折り畳んだときに、前記第二の表示手段には、前記補助部材により変更された前記レンズの光学特性に関する説明が表示されることを特徴とする携帯電話装置。
【請求項２】
第一の筐体と、前記第一の筐体に対して回転可能に前記第一の筐体に結合された第二の筐体とを備え、
前記第一及び第二の筐体を相互に折り畳んだときに内側になる前記第一の筐体の第一表面に第一の表示手段が、前記第一及び第二の筐体を相互に折り畳んだときに外側になる前記第一の筐体の第二表面に第二の表示手段がそれぞれ形成されており、かつ、カメラ機構を内蔵するとともに、文字認識機能を有する携帯電話装置において、
前記第一の筐体の前記第一表面には前記カメラ機構のレンズが配置されており、
前記第一及び第二の筐体を相互に折り畳んだときに内側になる前記第二の筐体の表面には、前記第一及び第二の筐体を相互に折り畳んだときに前記レンズに対向する位置に前記レンズの焦点距離を変更し、前記レンズを接写用のレンズに変更する補助部材が配置されており、
前記第一及び第二の筐体を相互に折り畳んだときに、前記第二の表示手段には、前記カメラ機構の認識領域を示す枠が表示されることを特徴とする携帯電話装置。
【請求項３】
前記補助部材は前記第二の筐体に対して着脱自在に取り付けられていることを特徴とする請求項１または２に記載の携帯電話装置。
【請求項４】
前記補助部材は、前記レンズの倍率を変更する第二のレンズまたは前記レンズに対するフィルターであることを特徴とする請求項１に記載の携帯電話装置。
【請求項５】
画像の撮影時に前記第二の表示手段に表示される前記枠と文字認識時に前記第二の表示手段に表示される前記枠とは相互に異なるものであることを特徴とする請求項２に記載の携帯電話装置。
【発明の詳細な説明】
【０００１】
【発明の属する技術分野】
本発明は、携帯電話装置に関し、特に、カメラ機能及び文字認識機能を有する折り畳み型の携帯電話装置に関する。
【０００２】
【従来の技術】
近年、電話機としての機能とカメラとしての機能とを併せた複合機能を有するカメラ付き携帯電話装置が提案されており、広くユーザに受け入れられているとともに、ユーザのニーズも広がっている。このようなカメラ機能を有する携帯電話装置は、カメラで撮像した画像を携帯電話装置の表示画面に表示したり、あるいは、電子メールに添付して、相手方に送信することができるようになっている。
【０００３】
【発明が解決しようとする課題】
しかしながら、従来のカメラ機能付き携帯電話装置においては、例えば、標準で設定された焦点距離（または、倍率）でしか画像を撮影することができず、接写などの倍率を変更しての撮像は不可能であった。
【０００４】
あるいは、従来のカメラ機能付き携帯電話装置は、予め設定されたズームの範囲でしか画像を撮像することができず、望遠による画像の撮像を行うことは不可能であった。
【０００５】
さらには、画像は自然色でしか撮像することができず、所望の色に着色して撮像することも不可能であった。
【０００６】
このように、従来のカメラ機能付き携帯電話装置は必ずしも幅広い撮影シーンに対応することはできるものではなかった。
【０００７】
本発明は、以上の問題点に鑑みてなされたものであり、焦点距離（または、倍率）の変更やズーム範囲の変更などの撮影条件を変更することを可能にするとともに、現在どのような撮影条件が設定されているかを容易に認識することができるカメラ機能付き携帯電話装置を提供することを目的とする。
【０００８】
【課題を解決するための手段】
この目的を達成するため、本発明は、第一の筐体と、第一の筐体に対して回転可能に第一の筐体に結合された第二の筐体とを備え、第一及び第二の筐体を相互に折り畳んだときに内側になる第一の筐体の第一表面に第一の表示手段が、第一及び第二の筐体を相互に折り畳んだときに外側になる第一の筐体の第二表面に第二の表示手段がそれぞれ形成されており、かつ、カメラ機構を内蔵するとともに、文字認識機能を有する携帯電話装置において、第一の筐体の第一表面にはカメラ機構のレンズが配置されており、第一及び第二の筐体を相互に折り畳んだときに内側になる第二の筐体の表面には、第一及び第二の筐体を相互に折り畳んだときにレンズに対向する位置にレンズの光学特性を変更する補助部材が配置されており、第一及び第二の筐体を相互に折り畳んだときに、第二の表示手段には、補助部材により変更されたレンズの光学特性に関する説明が表示されることを特徴とする携帯電話装置を提供する。
【０００９】
さらに、本発明は、第一の筐体と、第一の筐体に対して回転可能に第一の筐体に結合された第二の筐体とを備え、第一及び第二の筐体を相互に折り畳んだときに内側になる第一の筐体の第一表面に第一の表示手段が、第一及び第二の筐体を相互に折り畳んだときに外側になる第一の筐体の第二表面に第二の表示手段がそれぞれ形成されており、かつ、カメラ機構を内蔵するとともに、文字認識機能を有する携帯電話装置において、第一の筐体の第一表面にはカメラ機構のレンズが配置されており、第一及び第二の筐体を相互に折り畳んだときに内側になる第二の筐体の表面には、第一及び第二の筐体を相互に折り畳んだときにレンズに対向する位置にレンズの焦点距離を変更し、レンズを接写用のレンズに変更する補助部材が配置されており、第一及び第二の筐体を相互に折り畳んだときに、第二の表示手段には、カメラ機構の認識領域を示す枠が表示されることを特徴とする携帯電話装置を提供する。
【００１０】
補助部材は第二の筐体に対して着脱自在に取り付けられるものとして構成することができる。
【００１１】
補助部材としては、例えば、レンズの倍率を変更する第二のレンズまたはレンズに対するフィルターを選択することができる。
【００１２】
画像の撮影時に第二の表示手段に表示される枠と文字認識時に第二の表示手段に表示される枠とは相互に異なるものとすることができる。
【００１３】
【発明の実施の形態】
図１乃至図３は本発明の第一の実施形態に係る携帯電話装置１０を示す。
【００１４】
図１は、開いた状態における携帯電話装置１０の斜視図、図２は、閉じた状態における携帯電話装置１０の斜視図、図３は、携帯電話装置１０を後方から見た場合の背面図である。
【００１５】
本実施形態に係る携帯電話装置１０は、第一の筐体１１と、第二の筐体１２とを備えている。第一の筐体１１と第二の筐体１２とはそれらの一端においてヒンジ機構１３を介して接続されており、第一の筐体１１と第二の筐体１２とはそれらの一端を中心として相互に回転可能に結合されている。すなわち、第一の筐体１１及び第二の筐体１２は、図１に示すような相互に開いた状態と、図２に示すような相互に閉じた状態とをとることができる。
【００１６】
第一の筐体１１及び第二の筐体１２を相互に折り畳んだときに内側になる第二の筐体１２の表面１２１にはテンキーその他通信操作を行うために必要な複数個の操作用ボタン１４が配列されている。
【００１７】
また、第一の筐体１１及び第二の筐体１２を相互に折り畳んだときに内側になる第一の筐体１１の表面１１１の中央には第一の表示手段としての第一液晶表示ディスプレイ１５が配置されている。第一液晶表示ディスプレイ１５には、携帯電話装置１０の通信操作時には、発着呼の電話番号や、ユーザが作成した、あるいは、受信した電子メールの文章が表示される。
【００１８】
また、図３に示すように、第一の筐体１１及び第二の筐体１２を相互に折り畳んだときに外側になる第一の筐体１１の表面１１２には、伸縮可能なアンテナ１６が配置されているとともに、第二の表示手段としての第二液晶表示ディスプレイ４０が形成されている。
【００１９】
本実施形態に係る携帯電話装置１０は電話機としての機能の他に、カメラとしての機能を内蔵している。本実施形態に係る携帯電話装置１０をカメラとして使用する場合には、撮影した画像は第一液晶表示ディスプレイ１５及び第二液晶表示ディスプレイ４０の何れか一方または双方に表示される。
【００２０】
また、本実施形態に係る携帯電話装置１０は、撮影された画像に含まれる文字その他の記号を認識する機能を有している。認識された文字は第一液晶表示ディスプレイ１５及び第二液晶表示ディスプレイ４０の何れか一方または双方に表示される。
【００２１】
図１に示すように、第一の筐体１１の表面１１１の第一液晶表示ディスプレイ１５の上方にはカメラのレンズ２０が露出している。
【００２２】
さらに、第二の筐体１２の表面１２１には、第一の筐体１１及び第二の筐体１２を相互に折り畳んだときにレンズ２０に対向する位置に、レンズ２０に対する補助部材としての拡張レンズ３０が配置されている。
【００２３】
拡張レンズ３０は、レンズ２０の焦点距離を変更し、レンズ２０を接写用のレンズとして用いることを可能にするものである。
【００２４】
図１に示すように、拡張レンズ３０は、一方の面が第二の筐体１２の表面１２１に、また、図２及び図３に示すように、他方の面が第二の筐体１２の背面に露出するように、配置されている。
【００２５】
さらに、図１及び図３に示すように、第一の筐体１１の側面には、カメラのシャッターを開閉させるスイッチとしてのサイドキー４１が配置されている。このように、サイドキー４１を第一の筐体１１の側面に配置したのは、第一の筐体１１と第二の筐体１２とを相互に閉じた状態（図２に示す状態）においても、カメラのシャッターを切ることができるようにするためである。
【００２６】
以上のような構造を有する本実施形態に係る携帯電話装置１０は次のようにして用いられる。
【００２７】
本実施形態に係る携帯電話装置１０によって、ユーザがユーザ自身を撮影する場合には、第一の筐体１１と第二の筐体１２とを相互に開いた状態に維持し、カメラのレンズ２０をユーザに向ける。この場合、ユーザは第一の筐体１１の表面１１１に配置されている第一液晶表示ディスプレイ１５をファインダとして使用することができる。すなわち、ユーザは、第一液晶表示ディスプレイ１５に表示されているユーザ自身の画像を見ながら、ユーザの撮影を行うことができる。
【００２８】
図１に示すように、第一の筐体１１と第二の筐体１２とを相互に開いた状態において、カメラで被写体を撮影する場合には、レンズ２０の本来の焦点距離（または、倍率）で画像を撮像することができる。
【００２９】
これに対して、図２に示すように、第一の筐体１１と第二の筐体１２とを相互に閉じた状態においては、カメラのレンズ２０と拡張レンズ３０とが相互に対向し合う。このため、第一の筐体１１と第二の筐体１２とを相互に閉じた状態において、カメラで被写体を撮影する場合には、レンズ２０及び拡張レンズ３０の双方を介して被写体が撮影されることになるため、カメラの撮影時の焦点距離（または、倍率）を変えることができる。すなわち、拡張レンズ３０を介することによって、レンズ２０を接写用のレンズとして用いることができる。
【００３０】
後述するように、本実施形態に係る携帯電話装置１０は中央処理装置２１３（図７参照）を備えており、中央処理装置２１３は、携帯電話装置１０が開いた状態（図１に示す状態）にあるか、あるいは、閉じた状態（図２に示す状態）にあるかを検知することができるように構成されている。
【００３１】
中央処理装置２１３は、携帯電話装置１０が閉じた状態（図２に示す状態）にあることを検知すると、カメラの認識領域を示す枠４２を第二液晶表示ディスプレイ４０に表示する。
【００３２】
図４は、第二液晶表示ディスプレイ４０に表示される枠４２の一例を示す平面図である。
【００３３】
枠４２は、第二液晶表示ディスプレイ４０の中心と同一の中心を有する長方形状に形成されている。ユーザは、被写体を枠４２の中に納めることにより、被写体に対して適切な焦点距離を維持することができる。
【００３４】
中央処理装置２１３は、枠４２を第二液晶表示ディスプレイ４０に表示するとともに、枠４２についての説明をも同時に表示することができる。例えば、図４に示すように、枠４２の下方に「この枠の中に被写体を納めて下さい」という説明文４３を第二液晶表示ディスプレイ４０に表示することができる。
【００３５】
このような説明文４３を枠４２と同時に表示することにより、ユーザが本実施形態に係る携帯電話装置１０を初めて使用する場合であっても、適切な使用を保障することができる。
【００３６】
図５は、第二液晶表示ディスプレイ４０に表示される枠４２ａの他の例を示す平面図である。
【００３７】
図４に示した枠４２は、画像を接写で撮影するときに表示される枠であるのに対して、図５に示した枠４２ａは、画像中に含まれる文字を認識する場合に表示される枠である。
【００３８】
なお、カメラ機構が撮影した画像をそのまま画像として表示するか、あるいは、その画像中に含まれる文字を認識するかは、操作用ボタン１４の一つとして設けられている切り換えボタン（図示せず）を押すことにより、ユーザーが任意に選択することができるようになっている。
【００３９】
文字認識を実行する場合には、第二液晶表示ディスプレイ４０を９０度傾けて、横長にして用いる。枠４２ａは、第二液晶表示ディスプレイ４０の中心と同一の中心を有する横長の長方形状に形成されている。ユーザは、被写体である文字列を枠４２ａの中に納めることにより、被写体としての文字列に対して適切な焦点距離を維持することができる。
【００４０】
さらに、中央処理装置２１３は、枠４２ａを第二液晶表示ディスプレイ４０に表示するとともに、枠４２ａについての説明をも同時に表示することができる。例えば、図５に示すように、枠４２ａの下方に「認識させたい文字列をこの枠内に入れてシャッターを押して下さい」という説明文４３ａを枠４２ａの下方に表示することができる。
【００４１】
このような説明文４３ａを枠４２ａと同時に表示することにより、ユーザが本実施形態に係る携帯電話装置１０の文字認識機能を初めて実行する場合であっても、適切な実行を保障することができる。
【００４２】
さらに、図４に示した接写画像撮影用の枠４２と、図５に示した文字列認識用の枠４２ａとは、一見して異なるものであることが理解できるようにそれぞれ形成されている。すなわち、図４に示した画像撮影用の枠４２は、中心と長方形の四隅と各辺の中点とにそれぞれ配置された計９個の指標から構成されているが、図５に示した文字列認識用の枠４２ａは枠の外周を破線で示している。
【００４３】
このように、枠４２と枠４２aとは表示形式がことなるため、ユーザーは、第二液晶表示ディスプレイ４０に表示されている枠が接写画像撮影用の枠４２または文字列認識用の枠４２ａの何れかであるのか一見して判別することができる。
【００４４】
図６は、ユーザーが文字認識機能を選択し、撮影された画像中の文字認識を実行する場合、すなわち、枠４２ａを第二液晶表示ディスプレイ４０に表示する場合の動作を示すフローチャートである。
【００４５】
なお、ユーザーは、切り換えボタンにより、文字認識機能の実行を既に選択しているものとする。
【００４６】
先ず、カメラがオンの状態、すなわち、起動されている状態においては（ステップＳ１０）、第一液晶表示ディスプレイ１５及び第二液晶表示ディスプレイ４０の何れか一方または双方にカメラで撮影された画像が表示されている（ステップＳ１１）。
【００４７】
本実施形態に係る携帯電話装置１０を閉じた状態、すなわち、図２に示すように第一の筐体１１及び第二の筐体１２を相互に閉じた状態（ステップＳ２０）にすると、レンズ２０と拡張レンズ３０とが相互に対向するため、レンズ２０は接写用のレンズとして機能することになり、第二液晶表示ディスプレイ４０には接写された画像が表示される。
【００４８】
中央処理装置２１３は、第一の筐体１１及び第二の筐体１２が相互に閉じた状態を検知すると、第二液晶表示ディスプレイ４０に枠４２ａ、あるいは、枠４２ａ及び説明文４３ａを表示する（ステップＳ２１）。
【００４９】
ユーザは、携帯電話装置１０を被写体に向け、被写体としての文字列が枠４２ａの中に納まるように、被写体から離れ、あるいは、被写体に近づき、焦点距離を調整する（ステップＳ３０）。
【００５０】
次いで、ユーザは、サイドキー４１を押し、被写体としての文字列を撮影する。撮影された文字列は、中央処理装置２１３により認識された後、その認識結果が第二液晶表示ディスプレイ４０に表示される。
【００５１】
図７は、本実施形態に係る携帯電話装置１０の回路構造を示すブロック図である。以下、図７を参照して、本実施形態に係る携帯電話装置１０の回路構造を説明する。
【００５２】
本実施形態に係る携帯電話装置１０は、カメラ部２０１と、カメラインターフェイス部２０２と、画像メモリインターフェイス部２０３と、画像メモリ２０４と、第一の液晶表示ディスプレイインターフェイス部２０８と、第一液晶表示ディスプレイ１５と、第二の液晶表示ディスプレイインターフェイス部２１０と、第二液晶表示ディスプレイ４０と、制御部２１２と、から構成されている。
【００５３】
画像メモリ２０４には、カメラ画像データ２０５と、汎用画像データ２０６、２０７が格納されている。また、制御部２１２は、中央処理装置（ＣＰＵ）２１３とメモリ２１４とを備えている。
【００５４】
カメラ部２０１は、被写体の画像を撮像し、それを画像データに変換する。
【００５５】
カメラインターフェイス部２０２は、カメラ部２０１から画像データを取り込み、画像サイズの加工その他の必要な処理を行う。
【００５６】
画像メモリインターフェイス部２０３は、カメラインターフェイス部２０２と画像メモリ２０４と制御部２１２と第一の液晶表示ディスプレイインターフェイス部２０８と第二の液晶表示ディスプレイインターフェイス部２１０との間における画像データ及び各種制御信号の入出力制御を行う。
【００５７】
画像メモリ２０４は、カメラ部２０１により撮影された画像データをカメラ画像データとして格納し、さらに、制御部２１２からの通信操作表示等に使用される汎用画像のデータを汎用画像データ２０６、２０７として格納する。
【００５８】
第一の液晶表示ディスプレイインターフェイス部２０８は、画像メモリインターフェイス部２０３から送られてきた画像データを第一液晶表示ディスプレイ１５に転送する。同様に、第二の液晶表示ディスプレイインターフェイス部２１０は、画像メモリインターフェイス部２０３から送られてきた画像データを第二液晶表示ディスプレイ４０に転送する。
【００５９】
第一液晶表示ディスプレイ１５は、発着呼の電話番号や電子メールの文章と、撮像された画像とを画面を分割して同時にまたは切り替えて別々に表示する。第二液晶表示ディスプレイ４０は、着信待機状態における着呼番号と、撮像された画像とを画面を分割して同時にまたは切り替えて別々に表示する。さらに、第二液晶表示ディスプレイ４０は枠４２及び説明文４３を表示する。
【００６０】
第一液晶表示ディスプレイ１５及び第二液晶表示ディスプレイ４０の画面サイズは同じであってもよく、あるいは、異なっていてもよい。本実施形態においては、第二液晶表示ディスプレイ４０の画面サイズは第一液晶表示ディスプレイ１５の画面サイズよりも小さく設定されている。
【００６１】
制御部２１２における中央処理装置２１３はメモリ２１４に格納されているプログラムまたはデータを用いて携帯電話装置１０の全体の動作を制御する。
【００６２】
以下、本実施形態に係る携帯電話装置１０の動作を説明する。
【００６３】
カメラ部２０１から送信される画像データは、カメラインターフェイス部２０２において、制御部２１２からの指示に基づいて、画像の切り出しや縮小その他の処理を施された後、画像メモリインターフェイス部２０３を介して画像メモリ２０４に送られ、カメラ画像データ２０５として格納される。
【００６４】
カメラ部２０１からの画像データは、例えば、１５フレーム／秒の一定周期で供給され、画像メモリインターフェイス部２０３は同じ速度で、または、所定の割合でフレームを間引くことにより遅くした速度で、画像メモリ２０４内のカメラ画像データ２０５を更新する。
【００６５】
画像メモリインターフェイス部２０３は、カメラインターフェイス部２０２からのカメラ画像データの他に、制御部２１２からの画像データを汎用画像データ２０６、２０７として画像メモリ２０４に格納する。
【００６６】
また、画像メモリインターフェイス部２０３は、画像メモリ２０４に格納されているカメラ画像データ２０５及び汎用画像データ２０６、２０７を読み出し、第一の液晶表示ディスプレイインターフェイス部２０８と第二の液晶表示ディスプレイインターフェイス部２１０と制御部２１２とに転送する。
【００６７】
第一の液晶表示ディスプレイインターフェイス部２０８は、画像メモリインターフェイス部２０３から供給されたカメラ画像データ２０５または汎用画像データ２０６、２０７を第一液晶表示ディスプレイ１５において表示できる画像サイズに加工し、第一液晶表示ディスプレイ１５に転送する。これにより、第一液晶表示ディスプレイ１５において、カメラ部２０１で撮影された画像または制御部２１２からの画像データの表示が行われる。
【００６８】
第二の液晶表示ディスプレイインターフェイス部２１０は、画像メモリインターフェイス部２０３から供給されたカメラ画像データ２０５または汎用画像データ２０６、２０７を第二液晶表示ディスプレイ４０において表示できる画像サイズに加工し、第二液晶表示ディスプレイ４０に転送する。これにより、第二液晶表示ディスプレイ４０において、カメラ部２０１で撮影された画像または制御部２１２からの画像データが表示される。
【００６９】
さらに、中央処理装置２１３は、携帯電話装置１０が閉じた状態（図２に示す状態）にあることを検知すると、切り換えボタンによる選択に応じて、枠４２及び説明文４３（図４）または枠４２ａ及び説明文４３ａ（図５）を第二液晶表示ディスプレイ４０に表示する。
【００７０】
次いで、以下に、本実施形態に係る携帯電話装置１０の使用例を説明する。
【００７１】
本実施形態に係る携帯電話装置１０によって、ユーザがユーザ以外の被写体を撮影する場合、第一の筐体１１と第二の筐体１２とが相互に開いている場合にはカメラのレンズ２０を被写体に向け、第一の筐体１１と第二の筐体１２とが相互に閉じている場合には拡張レンズ３０を被写体に向け、撮影を行う。この場合、ユーザは第一の筐体１１の裏面１１２に配置されている第二液晶表示ディスプレイ４０をファインダとして使用することができる。すなわち、ユーザは、第二液晶表示ディスプレイ４０に表示されている被写体の画像を見ながら、被写体の撮影を行うことができる。
【００７２】
また、本実施形態に係る携帯電話装置１０によって、ユーザがユーザ自身を撮影する場合には、第一の筐体１１と第二の筐体１２とを相互に開いた状態に維持し、カメラのレンズ２０をユーザに向ける。この場合、ユーザは第一の筐体１１の表面１１１に配置されている第一液晶表示ディスプレイ１５をファインダとして使用することができる。すなわち、ユーザは、第一液晶表示ディスプレイ１５に表示されているユーザ自身の画像を見ながら、ユーザの撮影を行うことができる。
【００７３】
このように、本実施形態に係る携帯電話装置１０は第一の筐体１１の表面１１１と裏面１１２にそれぞれ第一液晶表示ディスプレイ１５及び第二液晶表示ディスプレイ４０を有しているので、ユーザがユーザ以外の被写体を撮影する場合には、レンズ２０または拡張レンズ３０を被写体に向けて撮影することにより、第一の筐体１１の裏面１１２に配置されている第二液晶表示ディスプレイ４０をファインダとしてユーザ以外の被写体の画像を確認しながら、撮影することができる。
【００７４】
また、ユーザがユーザ自身を撮影する場合には、レンズ２０をユーザに向けて撮影することにより、第一の筐体１１の表面１１１に配置されている第一液晶表示ディスプレイ１５をファインダとしてユーザ自身の画像を確認しながら、撮影することができる。
【００７５】
また、携帯電話装置１０を閉じた状態にして接写を行う場合には、第二液晶表示ディスプレイ４０に焦点距離調整用の枠４２または４２ａが表示されるため、ユーザは単に被写体を枠４２または４２ａの中に納めることにより、適切な焦点距離を確保することができる。
【００７６】
また、枠４２または４２ａと同時に説明文４３または４３ａも表示されるため、ユーザが携帯電話装置１０のカメラ機能を初めて使用する場合であっても、枠４２または４２ａの使用方法を容易に理解することができる。
【００７７】
なお、上記の実施形態においては、表示手段として第一液晶表示ディスプレイ１５及び第二液晶表示ディスプレイ４０を用いた例を説明したが、表示手段はこれらの液晶表示ディスプレイには限定されない。例えば、表示手段として、エレクトロルミネセンス（Ｅｌｅｃｔｒｏｌｕｍｉｎｅｓｃｅｎｃｅ）素子またはプラズマディスプレイパネル（Ｐｌａｓｍａ  Ｄｉｓｐｌａｙ  Ｐａｎｅｌ）を用いることも可能である。
【００７８】
また、上記の実施形態においては、第一液晶表示ディスプレイ１５及び第二液晶表示ディスプレイ４０をファインダとして用いたが、それらとは別個にファインダを設け、画像を光学的に処理することも可能である。
【００７９】
本実施形態においては、レンズ２０に対する補助部材として、レンズ２０を接写用のレンズに変更する拡張レンズ３０を用いたが、レンズ２０に対する補助部材は拡張レンズ３０には限定されない。
【００８０】
レンズ２０の光学特性を変更するようなものであれば、補助部材として使用することが可能である。
【００８１】
例えば、必要であれば、レンズ２０の倍率を下げるレンズを補助部材として使用することも可能である。あるいは、カメラに予め設定されたズームの範囲を広げるような部材を用いることも可能である。さらには、補助部材として着色フィルターを用い、画像を所望の色に着色した状態で撮像することも可能である。また、補助部材として、ＮＤフィルターや特殊フィルターその他の各種フィルターを用いることも可能である。
【００８２】
このように、補助部材として、拡張レンズ３０以外のもの（例えば、フィルター）を用いるような場合には、枠４２の近辺に説明文４３として、その補助部材により変更されたレンズ２０の光学特性に関する説明を表示することも可能である。
【００８３】
例えば、補助部材として青色フィルターを用いるような場合には、説明文４３として「青色フィルター使用中」のような説明を枠４２の近辺に表示することができる。
【００８４】
図８及び図９は本発明の第二の実施形態に係る携帯電話装置５０の斜視図である。
【００８５】
図１乃至図３に示した第一の実施形態に係る携帯電話装置１０においては、レンズ２０に対する補助部材としての拡張レンズ３０は第二の筐体１２に対して固定されていたが、第二の実施形態における拡張レンズ３１は第二の筐体１２に対して着脱自在であるように構成されている。
【００８６】
図８は、拡張レンズ３１を第二の筐体１２に取り付けた状態における携帯電話装置５０の斜視図であり、図９は、拡張レンズ３１を第二の筐体１２から取り外した状態における携帯電話装置５０の斜視図である。
【００８７】
図９に示すように、本実施形態における拡張レンズ３１はブロック３２に取り付けられている。第二の筐体１２の側面にはブロック３２と嵌合する形状の凹部１２２が形成されておりブロック３２を凹部１２２に出し入れすることにより、拡張レンズ３１は第二の筐体１２ひいては携帯電話装置５０に対して着脱自在となっている。
【００８８】
第二の筐体１２の側面にはスライド部材６０が設けられている。スライド部材６０には固定用バー（図示せず）が固定されており、スライド部材６０を凹部１２２の方向にスライドさせることにより、凹部１２２の内部に固定用バーが飛び出るようになっている。
【００８９】
ブロック３２には固定用バーが嵌合し得る孔が形成されており、ブロック３２を凹部１２２に嵌め入れた後、スライド部材６０を凹部１２２の方向にスライドさせ、固定用バーを移動させることにより、固定用バーがブロック３２に形成された孔に嵌合し、ブロック３２が第二の筐体１２に対して固定される。
【００９０】
スライド部材６０を凹部１２２とは反対の方向にスライドさせることにより、固定用バーはブロック３２に形成された孔から抜け出すため、ブロック３２の第二の筐体１２に対する固定状態を解除することができ、ブロック３２を第二の筐体１２から取り外すことができる。
【００９１】
本実施形態に係る携帯電話装置５０によれば、第一の実施形態に係る携帯電話装置１０により得られる効果の他に、拡張レンズ３１を、例えば、倍率の異なるレンズ、ズーム機構、着色フィルターあるいは特殊フィルターなど所望の補助部材に交換することができ、幅広い撮影シーンに対応することができる。
【００９２】
【発明の効果】
本発明に係る携帯電話装置によれば、第一の筐体と第二の筐体とを相互に閉じた状態においては、カメラのレンズと補助部材とが相互に対向し合う。このため、第一の筐体と第二の筐体とを相互に閉じた状態において、カメラで被写体を撮影する場合には、補助部材によりレンズの特性を変えた状態で被写体を撮影することができる。例えば、補助部材として倍率を変更するレンズを用いた場合には、レンズの倍率とは異なる倍率で画像を撮影することができる。あるいは、補助部材として着色フィルターを用いた場合には、自然色に所望の色合いを付加した状態で被写体を撮影することができる。さらに、携帯電話装置を閉じた状態にして接写を行う場合には、第二の表示手段に焦点距離調整用の枠が表示されるため、ユーザは単に被写体を枠の中に納めることにより、適切な焦点距離を確保することができる。
【００９３】
また、補助部材によってカメラのレンズの光学特性が変更された場合には、その変更に関する説明が第二の表示手段に表示されるため、ユーザが初めてその補助部材を使用する場合であっても、容易にその使用方法を理解することができる。
【００９４】
また、補助部材を第二の筐体に対して着脱自在に構成することにより、補助部材を所望のものに交換して被写体を撮影することができるようになり、撮影条件を容易に変更することが可能になる。
【図面の簡単な説明】
【図１】本発明の第一の実施形態に係る携帯電話装置の開いた状態における斜視図である。
【図２】本発明の第一の実施形態に係る携帯電話装置の閉じた状態における斜視図である。
【図３】本発明の第一の実施形態に係る携帯電話装置を、開いた状態において、後方から見たときの平面図である。
【図４】第二の表示手段に表示される枠の一例を示す平面図である。
【図５】第二の表示手段に表示される枠の他の例を示す平面図である。
【図６】第二の表示手段に枠が表示される場合における第一の実施形態に係る携帯電話装置の動作を示すフローチャートである。
【図７】本発明の第一の実施形態に係る携帯電話装置の回路構造を示すブロック図である。
【図８】補助部材を取り付けた状態における本発明の第二の実施形態に係る携帯電話装置の斜視図である。
【図９】補助部材を取り外した状態における本発明の第二の実施形態に係る携帯電話装置の斜視図である。
【符号の説明】
１０  第一の実施形態に係る携帯電話装置
１１  第一の筐体
１２  第二の筐体
１３  ヒンジ機構
１４  操作用ボタン
１５  第一液晶表示ディスプレイ
１６  アンテナ
２０  レンズ
３０、３１  拡張レンズ
４０  第二液晶表示ディスプレイ
４１  サイドキー
４２、４２ａ  枠
４３、４３ａ  説明文
５０  第二の実施形態に係る携帯電話装置
３２  ブロック
６０  スライド部材
１２２  凹部
２０１  カメラ部
２０２  カメラインターフェイス部
２０３  画像メモリインターフェイス部
２０４  画像メモリ
２０８  第一の液晶表示ディスプレイインターフェイス部
２１０  第二の液晶表示ディスプレイインターフェイス部
２１２  制御部
【図１】
2004207928.tif 000003
【図２】
2004207928.tif 000004
【図３】
2004207928.tif 000005
【図４】
2004207928.tif 000006
【図５】
2004207928.tif 000007
【図６】
2004207928.tif 000008
【図７】
2004207928.tif 000009
【図８】
2004207928.tif 000010
【図９】
2004207928.tif 000011